(57)【要約】【課題】視覚障害を有する保育者による取り扱いの容易な乳幼児服を提供する。【解決手段】首元から股までの前立て部分で開閉する上半身用開閉部と、この上半身用開閉部にそれぞれ繋がってズボンの内股側を開閉する左足側開閉部及び右足側開閉部とを有するつなぎ服から成る乳幼児服において、前立てには、首元から股にかけて舌片状の第１の膨出部と、第２の膨出部と、第３の膨出部とを順次設けて正面視で波形状とし、前立ての下端となる股の部分には、下方向に膨出させた舌片状の第４の膨出部を設け、ズボンの左足内股の部分には、右足の方向に膨出させた舌片状の第５の膨出部を設け、ズボンの右足内股の部分には、左足の方向に膨出させた舌片状の第６の膨出部を設け、第１〜６の膨出部にそれぞれスナップボタンの一方を取り付け、スナップボタンの他方を所定位置に取り付ける。【選択図】図１
2012214930.tif 000002
【特許請求の範囲】
【請求項１】
首元から股までの前立て部分で開閉する上半身用開閉部と、
この上半身用開閉部にそれぞれ繋がってズボンの内股側を開閉する左足側開閉部及び右足側開閉部と
を有するつなぎ服から成る乳幼児服において、
前記前立てには、首元から股にかけて舌片状の第１の膨出部と、第２の膨出部と、第３の膨出部とを順次設けて正面視で波形状とし、
前記前立ての下端となる股の部分には、下方向に膨出させた舌片状の第４の膨出部を設け、
前記ズボンの左足内股の部分には、右足の方向に膨出させた舌片状の第５の膨出部を設け、
前記ズボンの右足内股の部分には、左足の方向に膨出させた舌片状の第６の膨出部を設け、
前記第１〜６の膨出部にそれぞれスナップボタンの一方を取り付け、スナップボタンの他方を所定位置に取り付けている乳幼児服。
【発明の詳細な説明】
【技術分野】
【０００１】
本発明は、乳幼児服に関するものであり、特にボタンの取付構造に特徴を有することにより視覚障害を有する保育者による取り扱いの容易な乳幼児服に関するものである。
【背景技術】
【０００２】
従来、乳幼児用の服に関しては、デザイン性や機能性の面から様々な提案がなされており、多種多様な商品が販売されている（例えば、特許文献１参照。）。
【０００３】
また、乳幼児用ではないものの、障害者が容易に着脱できるようにした衣服も提案されている。特に、ボタンの掛け違いを防止しやすいように、隣り合ったボタンを異種のボタンとすることが提案されている（例えば、特許文献２参照。）。
【先行技術文献】
【特許文献】
【０００４】
【特許文献１】特開２００１−２１４３１７号公報
【特許文献２】特開２００４−１３７６１６号公報
【発明の概要】
【発明が解決しようとする課題】
【０００５】
しかしながら、視覚障害を有する保育者が、乳幼児に衣服を着せようとする際には、ボタンの位置がわかりにくいことにより、ボタンを探すことに手間取って、スムーズに着せることができないという問題があった。
【０００６】
このような場合、一般的には面ファスナーが用いられることが多いが、面ファスナーの場合には、多少のずれが生じていても問題なく留められるという利点を有している一方で、ずれた状態のまま面ファスナーで留めていると、乳幼児などの体の動きの多い者が着用している場合には、着衣のずれが生じやすくなるという問題があった。
【０００７】
このような現状に鑑み、本発明者は、視覚障害を有する保育者による取り扱いの容易な乳幼児服を提供すべく開発を行って、本発明を成すに至ったものである。
【課題を解決するための手段】
【０００８】
本発明の乳幼児服では、首元から股までの前立て部分で開閉する上半身用開閉部と、この上半身用開閉部にそれぞれ繋がってズボンの内股側を開閉する左足側開閉部及び右足側開閉部とを有するつなぎ服から成る乳幼児服において、前立てには、首元から股にかけて舌片状の第１の膨出部と、第２の膨出部と、第３の膨出部とを順次設けて正面視で波形状とし、前立ての下端となる股の部分には、下方向に膨出させた舌片状の第４の膨出部を設け、ズボンの左足内股の部分には、右足の方向に膨出させた舌片状の第５の膨出部を設け、ズボンの右足内股の部分には、左足の方向に膨出させた舌片状の第６の膨出部を設け、第１〜６の膨出部にそれぞれスナップボタンの一方を取り付け、スナップボタンの他方を所定位置に取り付けているものである。
【発明の効果】
【０００９】
本発明によれば、第１〜６の膨出部にそれぞれスナップボタンの一方を取り付けていることから、ボタンの位置を認識しやすく、目の不自由な方でも確実にボタンをつかめて、掛け違いなく合わせることができる。
【００１０】
特に、第１〜３の膨出部によって前立てを正面視で波形状としているので、ボタンを認識しやすいだけでなく、少ないボタン数でも各ボタンの間に生地の隙間ができることがなく、着衣の状態を乱れにくくすることができる。
【００１１】
また、上半身側の第１〜３の膨出部に設けた３つのボタンと、下半身側の第４〜６の膨出部に設けた３つのボタンとで着衣可能であるため、掛け違いがなくボタンを合わせることができる。
【図面の簡単な説明】
【００１２】
【図１】本発明に係る乳幼児服の正面図である。
【図２】本発明に係る乳幼児服の背面図である。
【図３】中間布片の説明図である。
【図４】使用状態の説明図である。
【発明を実施するための形態】
【００１３】
本発明の乳幼児服は、首元から股までの前立て部分で開閉する上半身用開閉部と、この上半身用開閉部にそれぞれ繋がってズボンの内股側を開閉する左足側開閉部及び右足側開閉部とを有するつなぎ服としているものである。
【００１４】
そして、前立てには、首元から股にかけて舌片状の第１の膨出部と、第２の膨出部と、第３の膨出部とを順次設けて正面視で波形状としている。
【００１５】
また、前立ての下端となる股の部分には、下方向に膨出させた舌片状の第４の膨出部を設けている。
【００１６】
さらに、ズボンの左足内股の部分には、右足の方向に膨出させた舌片状の第５の膨出部を設け、ズボンの右足内股の部分には、左足の方向に膨出させた舌片状の第６の膨出部を設けている。
【００１７】
このように設けた第１〜６の膨出部には、それぞれスナップボタンの一方を取り付け、スナップボタンの他方を所定位置に取り付けることにより、目の不自由な保育者でもボタンの位置を認識しやすく、また、ボタン自体を直接的につかめなくても各膨出部をつかむことにより間接的にボタンをつかむことができ、確実にボタンをつかんで掛け違いなく合わせることができる。
【００１８】
図面に基づいてより詳細に説明すると、図１及び図２に示すように、本発明の乳幼児服は、上着10とズボン20が連結されて一体となっているつなぎ服であって、首元から股までの前立て部分で開閉する上半身用開閉部31と、この上半身用開閉部31にそれぞれ繋がってズボン20の内股側を開閉する左足側開閉部32及び右足側開閉部33とを設けているものである。
【００１９】
このように、上半身用開閉部31だけでなく左足側開閉部32と右足側開閉部33とを設けたことにより、乳幼児服をシート状に広げることができる。そして、シート状に広げた乳幼児服の上に乳幼児を寝かせることで、乳幼児服を容易に着させることができる。
【００２０】
前立てには、首元から股にかけて舌片状の第１膨出部11と、第２膨出部12と、第３膨出部13とを順次設けている。この第１〜３膨出部11,12,13によって、前立ては正面視で波形状としている。
【００２１】
第１〜３膨出部11,12,13にはそれぞれスナップボタンの一方を取り付け、スナップボタンの他方を右前身頃14の所定位置に取り付けている。スナップボタンは、通常、突出部を有する雄型金具と、突出部と嵌め合わせる凹状の嵌合穴を有する雌型金具で構成され、必要に応じて雄型金具と雌型金具とをそれぞれ固定する固定金具が用いられている。説明の便宜上、雄型金具を雄型ボタン、雌型金具を雌型ボタンと呼ぶこととする。本実施形態では、第１〜３膨出部11,12,13には第１〜３雄型ボタン11a,12a,13aをそれぞれ取り付け、右前身頃14の所定位置には第１〜３雌型ボタン11b,12b,13bをそれぞれ取り付けている。なお、第１〜３膨出部11,12,13に雌型ボタンを取り付け、右前身頃の所定位置に雄型ボタンを取り付けてもよい。
【００２２】
右前身頃14に取り付けられる第１〜３雌型ボタン11b,12b,13bは、それぞれ小判形状とした中間布片15に装着し、この中間布片15を所定位置に縫い付けることにより右前身頃14への雌型ボタンの取り付けを行っている。
【００２３】
中間布片15は、右前身頃14の生地と異なる色合いの布片としており、中間布片15を目に付きやすくすることによって第１〜３雌型ボタン11b,12b,13bを視認しやすくしている。
【００２４】
本実施例では、中間布片15を小判形状としているが、小判形状に限定するものではなく、矩形状や円形状などの適宜の形状としてよく、色合いで視認性を高めるだけでなく、形状的あるいは模様的にも視認性を高めるようにしてもよい。
【００２５】
中間布片15を右前身頃14の所定位置に縫い付ける際には、図３に示すように、中間布片15の上側部15uと下側部15dとを右前身頃14の生地に縫合する一方で、雌型ボタンが取り付けられている中央部分15cは縫合せずに、図４に示すように、右前身頃14の生地と中間布片15との間に手の指を挿入できる隙間15sを形成している。
【００２６】
雌型ボタンに雄型ボタンを嵌め合わせる場合には、図４に示すように、右前身頃14の生地と中間布片15との間の隙間15sに左手の人差し指を挿し入れて、人差し指の指先の腹の部分で雌型ボタンを支えておきながら、右手で前立てに設けた膨出部を引張って雄型ボタンを雌型ボタンの位置にまでもってきて、左手の親指で雄型ボタンを雌型ボタンの方に押しつけることにより、雄型ボタンと雌型ボタンとを嵌め合わせることができるようにしている。
【００２７】
このとき、雄型ボタンと雌型ボタンとの嵌め合わせを左手だけで行うことができ、特に、左手の親指と人差し指で円をつくる動きで嵌め合わせができるので、視覚障害を有する保育者でも確実に嵌め合わせることができる。
【００２８】
図１に示すように、前立ての下端となる股の部分には、下方向に膨出させた舌片状の第４膨出部24を設けている。この第４膨出部24は、股下を覆うカバーとしても機能するものである。
【００２９】
第４膨出部24には第４雄型ボタン24aを取り付けており、この第４雄型ボタン24aと嵌め合わされる第４雌型ボタン24bは、図２に示すように、ズボン20のおしり部分から下方に引き出した帯状の延長片21に取り付けている。
【００３０】
第４雌型ボタン24bを延長片21に取り付ける場合にも、図２に示すように、第４雌型ボタン21を中間布片22に取り付け、この中間布片22を延長片21の所定位置に縫い付けている。なお、第４雌型ボタン24bが取り付けられた中間布片22を延長片21に縫い付ける場合には、延長片21が帯状となっているために、延長片21と中間布片22との間に隙間を設けることなく縫い付けてよい。
【００３１】
図１に示すように、ズボン20の左足内股の部分には左足側開閉部32を設けて開閉自在とし、左足側開閉部32で分けられた前側の端縁に右足の方向に膨出させた舌片状の第５膨出部25を設けている。また、ズボン20の右足内股の部分には右足側開閉部33を設けて開閉自在とし、右足側開閉部33で分けられた前側の端縁に左足の方向に膨出させた舌片状の第６膨出部26を設けている。
【００３２】
第５膨出部25には第５雄型ボタン25aを取り付け、第６膨出部26には第６雄型ボタン26aを取り付けている。
【００３３】
図２に示すように、第５雄型ボタン25aと嵌め合わされる第５雌型ボタン25bは、ズボン20の左足部分の左足側開閉部32で分けられた後側の端縁に取り付けている。また、第６雄型ボタン26aと嵌め合わされる第６雌型ボタン26bは、ズボン20の右足部分の右足側開閉部33で分けられた後側の端縁に取り付けている。
【００３４】
本実施例では、図２に示すように、第５雌型ボタン25bと第６雌型ボタン26bも中間布片27に取り付けて、この中間布片27をズボン20の所定位置に縫い付けている。なお、第５雌型ボタン25bが取り付けられた中間布片27、及び第６雌型ボタン26bが取り付けられた中間布片27をズボン20に縫い付ける場合には、それぞれ左足側開閉部32及び右足側開閉部33の近傍に取り付けられるため、ズボン20の生地と中間布片22との間に隙間を設けることなく縫い付けてもよい。
【００３５】
中間布片27にも、ズボン20の生地と色合いの異なる布片を用いることにより、第５雌型ボタン25b及び第６雌型ボタン26bを見つけやすくすることができ、乳幼児への乳幼児服の着付けを速やかに行うことができる。
【００３６】
上記したように構成した乳幼児服では、上着10側で第１〜３雄型ボタン11a,12a,13aと第１〜３雌型ボタン11b,12b,13bの３組のボタンで着付けを行うことができ、ズボン20側で第４〜６雄型ボタン24a,25a,26aと第４〜６雌型ボタン24b,25b,26bの３組のボタンで着付けを行うことができ、速やかに着付けすることができる。
【００３７】
特に、上着10側では、第１〜３雄型ボタン11a,12a,13aを正面視波形状とした前身頃の第１〜３膨出部11,12,13にそれぞれ設けたことにより、各ボタンの位置を認識しやすくすることができ、掛け違いを生じることなく速やかに着付けすることができるとともに、各ボタンの間に生地の隙間ができることがなく、着衣の状態を乱れにくくすることができる。
【符号の説明】
【００３８】
10  上着
11  第１膨出部
11a 第１雄型ボタン
11b 第１雌型ボタン
12  第２膨出部
12a 第２雄型ボタン
12b 第２雌型ボタン
13  第３膨出部
13a 第３雄型ボタン
13b 第３雌型ボタン
14  右前身頃
15  中間布片
20  ズボン
21  延長片
22  中間布片
24  第４膨出部
24a 第４雄型ボタン
24b 第４雌型ボタン
25  第５膨出部
25a 第５雄型ボタン
25b 第５雌型ボタン
26  第６膨出部
26a 第６雄型ボタン
26b 第６雌型ボタン
27  中間布片
31  上半身用開閉部
32  左足側開閉部
33  右足側開閉部
【図１】
2012214930.tif 000003
【図２】
2012214930.tif 000004
【図３】
2012214930.tif 000005
【図４】
2012214930.tif 000006